【事件の表示】
　特願２０１２−　３８８７１「携帯端末装置用プログラム、情報提示方法及び携帯端末装置」拒絶査定不服審判事件〔平成２５年　９月　５日出願公開、特開２０１３−１７４７１２、請求項の数（８）〕について、次のとおり審決する。
【結　論】
　原査定を取り消す。
　本願の発明は、特許すべきものとする。
【理　由】
第１　手続の経緯
　本件出願は、平成２４年２月２４日の出願であって、平成２７年３月２７日付けで拒絶理由が通知され、同年５月２７日付けで意見書および手続補正書が提出され、同年６月１０日付けで最後の拒絶理由が通知され、同年８月１７日付けで意見書および手続補正書が提出され、同年９月３日付けで、同年８月１７日付け手続補正書による補正が却下されるとともに、拒絶の査定がされ、同年１２月１１日付けで拒絶査定不服審判の請求と同時に手続補正書が提出されたものである。
第２　平成２７年１２月１１日付けの手続補正（以下、「本件補正」という。）の適否
１　本件補正の内容
　本件補正は、特許請求の範囲を補正するものであって、下記（１）を下記（２）へと補正しようとするものである。
（１）本件補正前の特許請求の範囲
「【請求項１】
　歌唱されるカラオケ曲の歌唱音声を評価可能な携帯端末装置に含まれるコンピュータに、
　カラオケ店舗に設置されたカラオケ装置を利用して歌唱された前記カラオケ曲のうち練習用楽曲として指定された前記カラオケ曲の歌唱音声が、携帯端末装置による評価が制限されている歌唱技能について複数の事項で分析された結果を示す分析情報を、ネットワークを介して取得する取得ステップと、
　前記取得ステップにより取得された前記分析情報と、歌唱音声を評価するための基準を示す基準情報と、に基づいて、前記歌唱技能についての前記複数の事項それぞれに対する評価を示す評価情報を、所定の歌唱区分ごとに提示する練習事項提示ステップと、
　を実行させることを特徴とする携帯端末装置用プログラム。
　　【請求項２】
　前記練習事項提示ステップは、所定の歌唱区間ごとに、前記分析情報と前記基準情報とを前記複数の事項それぞれについて比較し、比較の結果、基準を満たす程度が閾値未満である前記事項と前記歌唱区間との組み合わせを練習する箇所として提示することを特徴とする請求項１に記載の携帯端末装置用プログラム。
　　【請求項３】
　前記練習用楽曲を再生させる再生制御ステップと、
　前記再生制御ステップにより再生される前記練習用楽曲の進行にあわせて、前記練習用楽曲の歌詞のテロップを表示させる表示制御ステップと、
　前記表示制御ステップによる前記カラオケ曲の歌詞のテロップの表示とともに、表示される前記歌詞のテロップに対応する前記練習する箇所の歌唱方法を提示する歌唱方法提示ステップと、
　を更に実行させることを特徴とする請求項２に記載の携帯端末装置用プログラム。
　　【請求項４】
　前記練習用楽曲を再生させる再生制御ステップと、
　前記練習事項提示ステップにより提示された前記練習する箇所の歌唱区間において、前記再生制御ステップによる前記練習用楽曲の再生とともに、前記練習する箇所の歌唱区間に対応する前記基準情報に沿った歌唱音声を出力させる出力制御ステップと、
　を更に実行させることを特徴とする請求項２又は３に記載の携帯端末装置用プログラム。
　　【請求項５】
　前記出力制御ステップは、前記練習事項提示ステップにおいて提示された前記練習する箇所の歌唱区間において、前記分析情報と前記基準情報との比較により基準を満たす程度が前記閾値以上である他のユーザの歌唱音声を出力させることを特徴とする請求項４に記載の携帯端末装置用プログラム。
　　【請求項６】
　前記携帯端末装置は記憶手段を備え、
　前記練習事項提示ステップにより提示された前記箇所の練習の履歴を示す履歴情報を前記記憶手段に記憶させる記憶ステップと、
　を更に前記コンピュータに実行させることを特徴とする請求項２乃至５の何れか１項に記載の携帯端末装置用プログラム。
　　【請求項７】
　歌唱されるカラオケ曲の歌唱音声を評価可能な携帯端末装置により実行される情報提示用法であって、
　カラオケ店舗に設置されたカラオケ装置を利用して歌唱された前記カラオケ曲のうち練習用楽曲として指定された前記カラオケ曲の歌唱音声が、携帯端末装置による評価が制限されている歌唱技能について複数の事項で分析された結果を示す分析情報を、ネットワークを介して取得する取得ステップと、
　前記取得ステップにより取得された前記分析情報と、歌唱音声を評価するための基準を示す基準情報と、に基づいて、前記歌唱技能についての前記複数の事項それぞれに対する評価を示す評価情報を、所定の歌唱区分ごとに提示する練習事項提示ステップと、
　を含むことを特徴とする情報提示方法。
　　【請求項８】
　歌唱されるカラオケ曲の歌唱音声を評価可能な携帯端末装置であって、
　カラオケ店舗に設置されたカラオケ装置を利用して歌唱された前記カラオケ曲のうち練習用楽曲として指定された前記カラオケ曲の歌唱音声が、携帯端末装置による評価が制限されている歌唱技能について複数の事項で分析された結果を示す分析情報を、ネットワークを介して取得する取得手段と、
　前記取得手段により取得された前記分析情報と、歌唱音声を分析又は評価するための基準を示す基準情報と、に基づいて、前記歌唱技能についての前記複数の事項それぞれに対する評価を示す評価情報を、所定の歌唱区分ごとに提示する練習事項提示手段と、
　を備えることを特徴とする携帯端末装置。」
（２）本件補正後の特許請求の範囲
「【請求項１】
　歌唱されるカラオケ曲の歌唱音声を評価可能な携帯端末装置に含まれるコンピュータに、
　カラオケ店舗に設置されたカラオケ装置を利用して歌唱された前記カラオケ曲のうち練習用楽曲として指定された前記カラオケ曲の歌唱音声が、携帯端末装置による評価が制限されている歌唱技能について複数の事項で分析された結果を示す分析情報を、ネットワークを介して取得する取得ステップと、
　前記取得ステップにより取得された前記分析情報と、歌唱音声を評価するための基準を示す基準情報と、に基づいて、前記歌唱技能についての前記複数の事項それぞれに対する評価を示す評価情報を、所定の歌唱区
間
し、提示した前記評価情報のうち何れかの選択された歌唱区間及び事項に対応する複数種類の練習内容を提示
　を実行させることを特徴とする携帯端末装置用プログラム。
　　【請求項２】
　前記練習事項提示ステップは、所定の歌唱区間ごとに、前記分析情報と前記基準情報とを前記複数の事項それぞれについて比較し、比較の結果、基準を満たす程度が閾値未満である前記事項と前記歌唱区間との組み合わせを練習する箇所として
前記評価情報を提示し、練習する箇所として提示した前記評価情報のうち何れかの選択された歌唱区間及び事項に対応する複数種類の練習内容を
　　【請求項３】
　前記練習用楽曲を再生させる再生制御ステップと、
　前記再生制御ステップにより再生される前記練習用楽曲の進行にあわせて、前記練習用楽曲の歌詞のテロップを表示させる表示制御ステップと、
　前記表示制御ステップによる前記カラオケ曲の歌詞のテロップの表示とともに、表示される前記歌詞のテロップに対応する前記練習する箇所の歌唱方法を提示する歌唱方法提示ステップと、
　を更に実行させることを特徴とする請求項２に記載の携帯端末装置用プログラム。
　　【請求項４】
　前記練習用楽曲を再生させる再生制御ステップと、
　前記練習事項提示ステップにより提示された前記練習する箇所の歌唱区間において、前記再生制御ステップによる前記練習用楽曲の再生とともに、前記練習する箇所の歌唱区間に対応する前記基準情報に沿った歌唱音声を出力させる出力制御ステップと、
　を更に実行させることを特徴とする請求項２又は３に記載の携帯端末装置用プログラム。
　　【請求項５】
　前記出力制御ステップは、前記練習事項提示ステップにおいて提示された前記練習する箇所の歌唱区間において、前記分析情報と前記基準情報との比較により基準を満たす程度が前記閾値以上である他のユーザの歌唱音声を出力させることを特徴とする請求項４に記載の携帯端末装置用プログラム。
　　【請求項６】
　前記携帯端末装置は記憶手段を備え、
　前記練習事項提示ステップにより提示された前記箇所の練習の履歴を示す履歴情報を前記記憶手段に記憶させる記憶ステップと、
　を更に前記コンピュータに実行させることを特徴とする請求項２乃至５の何れか１項に記載の携帯端末装置用プログラム。
　　【請求項７】
　歌唱されるカラオケ曲の歌唱音声を評価可能な携帯端末装置により実行される情報提示用法であって、
　カラオケ店舗に設置されたカラオケ装置を利用して歌唱された前記カラオケ曲のうち練習用楽曲として指定された前記カラオケ曲の歌唱音声が、携帯端末装置による評価が制限されている歌唱技能について複数の事項で分析された結果を示す分析情報を、ネットワークを介して取得する取得ステップと、
　前記取得ステップにより取得された前記分析情報と、歌唱音声を評価するための基準を示す基準情報と、に基づいて、前記歌唱技能についての前記複数の事項それぞれに対する評価を示す評価情報を、所定の歌唱区
間
し、提示した前記評価情報のうち何れかの選択された歌唱区間及び事項に対応する複数種類の練習内容を提示
　を含むことを特徴とする情報提示方法。
　　【請求項８】
　歌唱されるカラオケ曲の歌唱音声を評価可能な携帯端末装置であって、
　カラオケ店舗に設置されたカラオケ装置を利用して歌唱された前記カラオケ曲のうち練習用楽曲として指定された前記カラオケ曲の歌唱音声が、携帯端末装置による評価が制限されている歌唱技能について複数の事項で分析された結果を示す分析情報を、ネットワークを介して取得する取得手段と、
　前記取得手段により取得された前記分析情報と、歌唱音声を分析又は評価するための基準を示す基準情報と、に基づいて、前記歌唱技能についての前記複数の事項それぞれに対する評価を示す評価情報を、所定の歌唱区
間
し、提示した前記評価情報のうち何れかの選択された歌唱区間及び事項に対応する複数種類の練習内容を提示
　を備えることを特徴とする携帯端末装置。」
（下線は補正の内容を明らかにするために、審決で付した。）
２　本件補正の適否
　請求項１、７、８の「歌唱区分」を「歌唱区間」とする補正については、補正前の特許請求の範囲の【請求項２】や明細書【０００８】、【００１６】ないし【００１８】、【００２９】、【００４０】、【００６５】、【００６８】、【００８９】、【００９０】に「歌唱区間」の記載がある一方、請求項１、７、８にのみ「歌唱区分」という記載があるから、「歌唱区分」は「歌唱区間」の誤記と認められる。したがって、請求項１、７、８の「歌唱区分」を「歌唱区間」とする補正は、特許法第１７条の２第５項第３号の誤記の訂正を目的とするものに該当する。
　請求項１、７、８の「提示した前記評価情報のうち何れかの選択された歌唱区間及び事項に対応する複数種類の練習内容を提示する」ことを付加する補正は、「練習事項提示ステップ」あるいは「練習事項提示手段」という発明特定事項が提示する練習事項を限定するものであって、補正前の請求項１、７、８に記載された発明と、補正後の請求項１、７、８に係る発明の産業上の利用分野及び解決しようとする課題は同一であるから、特許法第１７条の２第５項第２号の特許請求の範囲の減縮を目的とするものに該当する。
　請求項２の補正は、基準を満たす程度が閾値未満である事項と歌唱区間との組み合わせを練習する箇所として「評価情報」を提示すること、および「練習する箇所として提示した評価情報のうち何れかの選択された歌唱区間及び事項に対応する複数種類の練習内容を提示すること」を付加するものであるが、前者は、補正前の「基準を満たす程度が閾値未満である事項と歌唱区間との組み合わせを練習する箇所として提示すること」という発明特定事項を限定するものであり、後者は「練習事項提示ステップ」という発明特定事項が提示する練習事項を限定するものである。また、補正前の請求項２に記載された発明と補正後の請求項２に係る発明の産業上の利用分野及び解決しようとする課題は同一である。よって、請求項２の補正は、特許法第１７条の２第５項第２号の特許請求の範囲の減縮を目的とするものに該当する。
　また、本件補正には、特許法第１７条の２第３項、第４項に違反するところはない。
　
　本件補正は、特許法第１７条の２第５項第２号の特許請求の範囲の減縮を目的とする補正を含むものであるから、本件補正後の各請求項に係る発明が、特許法第１７条の２第６項において準用する同法第１２６条第７項の規定に適合するか（特許出願の際独立して特許を受けることができるものであるか）について、以下に検討する。
（１）本件補正後の各請求項に係る発明について
　本願の本件補正後の請求項１ないし８に係る発明は、本件補正により補正された特許請求の範囲の請求項１ないし８に記載された事項により特定されるとおりのものと認められ、「１　本件補正の内容」の「（２）本件補正後の特許請求の範囲」に記載したとおりのものである。
（２）引用例
ア　引用例１
　原査定の拒絶の理由に引用され、本願の出願日前に頒布された特開２００６−２１５４０８号公報（以下、「引用例１」という。）には、以下の記載がある。
（ア）　「【特許請求の範囲】
【請求項１】
　
所定のセンタ装置と、複数のカラオケ装置と、カラオケ演奏機能を有する複数の携帯電話機との間で通信回線を介して相互に情報の通信を行い得る通信カラオケシステムであって、
　
前記カラオケ装置は、入力される音声情報に応じてカラオケ演奏の評価を行う演奏評価手段を有するものであり、
　
前記携帯電話機は、該演奏評価手段による評価結果を反映する所定の評価反映映像を表示させる表示手段を有するものである
  ことを特徴とする通信カラオケシステム。
【請求項２】
　
前記携帯電話機は、入力される音声情報に応じてカラオケ演奏の評価を行う演奏評価手段を有する
【請求項３】
　前記カラオケ装置は、該カラオケ装置又は携帯電話機の前記演奏評価手段による評価結果を反映する所定の評価反映映像を表示させる表示手段を有するものである請求項１又は２の通信カラオケシステム。
【請求項４】
　前記
センタ装置は、前記演奏評価手段による評価結果を記憶する記憶装置を有する
【請求項５】
　前記
演奏評価手段は、対象となるカラオケ演奏曲における所定のフレーズ毎に前記評価を行う
【請求項６】
　前記
表示手段は、対象となるカラオケ演奏曲における所定のフレーズ毎に前記表示を行う
【請求項７】
　前記
記憶装置は、前記演奏評価手段による評価結果を利用者の識別情報と関連付けて記憶する
【請求項８】
　前記
表示手段は、前記記憶装置から読み出される利用者の識別情報と関連付けられた評価結果に基づいて前記表示を行う
（イ）　「【０００９】
　このようにすれば、前記カラオケ装置は、入力される音声情報に応じてカラオケ演奏の評価を行う演奏評価手段を有するものであり、前記携帯電話機は、その演奏評価手段による評価結果を反映する所定の評価反映映像を表示させる表示手段を有するものであることから、
前記携帯電話機を用いたカラオケ演奏において、前記カラオケ装置を用いてカラオケ演奏を行った際の演奏評価結果を参照しつつ歌唱することができ、効果的な歌唱技能の向上が期待できる。
（ウ）　「【実施例】
【００１８】
　図１は、本発明の一実施例である通信カラオケシステム１０を説明する図である。この図１に示すように、本実施例の
通信カラオケシステム１０において、カラオケボックス、スナック、旅館等の店舗、
にそれぞれ設置された複数の通信カラオケ装置１２
（エ）　「【００２８】
　図４は、前記
携帯電話機１８の
制御部８２は、予めＲＯＭ８４に記憶されたプログラムに従って入力信号を処理し、
（オ）　「【００３４】
　演奏評価手段１３２、１４０は、前記演奏手段１２８、１３６によるカラオケ演奏曲の出力に伴って入力される音声情報に応じてカラオケ演奏の評価を行う。具体的には、
前記通信カラオケ装置１２の演奏評価手段１３２は、
音声情報と、前記シンセサイザ５４により出力される音楽情報とを比較し、メロディなどの基本音程と入力される音声から抽出される音程との相対的なずれやその音声の絶対的な声量などを基準として採点を行う。
前記携帯電話機１８の演奏評価手段１４０は、
上記と同様にその利用者によるカラオケ演奏の内容を評価する。
（カ）　「【００３６】
　評価反映映像表示手段１３４、１４２は、前記演奏評価手段１３２、１４０による評価結果を反映する所定の評価反映映像を表示させる。具体的には、前記通信カラオケ装置１２の評価反映英映像表示手段１３４は、前記センタ装置１６の記憶装置１２２に設けられた演奏評価データベース１２６におけるカラオケ演奏を行っている利用者に対応する記憶領域から、演奏されているカラオケ演奏曲に対応する評価結果を読み出して前記ＲＡＭ４４に記憶し、その評価結果を随時読み出して、例えば上記演奏評価手段１３２、１４０による評価結果が比較的低かった部分を指摘する映像を生成して前記ＣＲＴコントローラ５０に送り、そのＣＲＴコントローラ５０により前記ビデオミキサ３０等を介して前記歌詞文字映像と共に前記映像表示装置２６に表示させる。また、前記
携帯電話機１８
は、前記センタ装置１６の記憶装置１２２
から、演奏されているカラオケ演奏曲に対応する評価結果を読み出して
演奏評価手段１３２、１４０による評価結果が比較的低かった部分を指摘する映像を生成して前記表示部８０に表示させる。
　上記（エ）には、「携帯電話機１８の・・・制御部８２は、
予めＲＯＭ８４に記憶されたプログラム
　以上の（ア）ないし（カ）の記載を総合すると、引用例１には以下の発明（以下、「引用発明１」という。）が記載されていると認められる。
　「カラオケ装置と同様に入力される音声情報に応じてカラオケ演奏を評価可能な携帯電話機の制御部に、
　カラオケボックス、スナック、旅館等の店舗に設置されたカラオケ装置に入力されるカラオケ演奏曲の音声情報が、シンセサイザにより出力される音楽情報と比較され、メロディなどの基本音程と入力される音声から抽出される音程との相対的なずれやその音声の絶対的な声量などを基準として所定のフレーズ毎に評価された評価結果を、通信回線を介して読み出し、
　読み出した評価結果に基づいて、前記カラオケ演奏曲における所定のフレーズ毎に、評価結果を反映して評価結果が比較的低かった部分を指摘する所定の評価反映映像を表示し、効果的な歌唱技能の向上ができるようにすること
を実行させるプログラム」
イ　引用例２
　原査定の拒絶の理由に引用され、本願の出願日前に頒布された特開２０１０−８５４８１号公報（以下、「引用例２」という。）には、以下の記載がある。
「【特許請求の範囲】
【請求項１】
　多数の演奏曲のうちから選択される所定の演奏曲を出力させるカラオケ装置であって、
　音声を入力するための音声入力装置と、
　選曲された演奏曲と該演奏曲の選曲主体である利用者の携帯電話機を特定するための情報とを関連づけて記憶する記憶装置と、
　前記演奏曲の出力に際して、予め定められた関係から前記音声入力装置により入力される音声に関する情報に基づいて演奏の評価を行う演奏評価制御手段と、
　該演奏評価制御手段による評価結果を、評価の対象である演奏曲の選曲主体である利用者の携帯電話機に送信する演奏評価結果送信手段と
　を、備えたものであることを特徴とするカラオケ装置。
【請求項２】
　前記記憶装置は、前記携帯電話機による選曲入力に際して、該選曲入力信号と共に送信される該携帯電話機の識別情報と選曲に係る演奏曲の選曲番号とを関連づけて記憶するものである請求項１に記載のカラオケ装置。
【請求項３】
　前記演奏評価制御手段は、前記演奏曲の出力に際して、該演奏曲の音程及び／又はテンポに対する前記音声入力装置により入力される音声の音程及び／又はテンポの相対的なずれを算出するものであり、
　前記演奏評価送信手段は、予め定められた関係から、前記演奏評価制御手段により算出される音程及び／又はテンポの相対的なずれに基づいて所定のコメントを、前記評価結果として評価の対象である演奏曲の選曲主体である利用者の携帯電話機に送信するものである請求項１又は２に記載のカラオケ装置。
【請求項４】
　前記演奏評価送信手段は、前記演奏評価制御手段による評価結果を電子メールとしてインターネット回線を介して前記携帯電話機に送信するものである請求項１から３の何れか１項に記載のカラオケ装置。」
　以上の記載を総合すると、引用例２には以下の発明（以下、「引用発明２」という。）が記載されていると認められる。
「多数の演奏曲のうちから選択される所定の演奏曲を出力させるカラオケ装置であって、
　音声を入力するための音声入力装置と、
　携帯電話機による選曲入力に際して、該選曲入力信号と共に送信される選曲された演奏曲の選曲番号と該演奏曲の選曲主体である利用者の携帯電話機の識別情報とを関連づけて記憶する記憶装置と、
　演奏曲の出力に際して、予め定められた関係から音声入力装置により入力される音声に関する情報に基づいて、該演奏曲の音程及びテンポに対する前記音声入力装置により入力される音声の音程及びテンポの相対的なずれを算出して演奏の評価を行う演奏評価制御手段と、
　演奏評価制御手段による評価結果を、電子メールとしてインターネット回線を介して、評価の対象である演奏曲の選曲主体である利用者の携帯電話機に送信する演奏評価結果送信手段と
　を、備えたカラオケ装置。」
（３）本件補正後の請求項１について
ア　対比
　本件補正後の請求項１に係る発明（以下、「補正発明１」という。）と、引用発明１とを以下、対比する。
　引用発明１の「音声情報」は、補正発明１の「カラオケ曲の歌唱音声」に相当する。
　引用発明１の「携帯電話機」は、補正発明１の「携帯端末装置」に相当する。
　引用発明１の「制御部」は、補正発明１の「コンピュータ」に相当する。
　引用発明１の「カラオケボックス、スナック、旅館等の店舗」は、補正発明１の「カラオケ店舗」に相当する。
　引用発明１の「カラオケ演奏曲」は、「効果的な歌唱技能の向上ができるようにする」ものとして指定されたものであることは自明なので、補正発明１の「歌唱されたカラオケ曲のうち練習用楽曲として指定されたカラオケ曲」に相当する。
　引用発明１の「シンセサイザにより出力される音楽情報」は、これと「音声情報」を比較して「評価」を行っているから、補正発明１の「歌唱音声を評価するための基準を示す基準情報」に相当する。
　引用発明１の「メロディなどの基本音程と入力される音声から抽出される音程との相対的なずれやその音声の絶対的な声量など」は、「音程」、「声量」の二つの事項を含んでおり、補正発明１の「歌唱技能について複数の事項」に相当する。
　引用発明１の「フレーズ」は、補正発明１の「歌唱区間」に相当する。　　引用発明１の「評価結果」は、補正発明１の「歌唱技能についての複数の事項それぞれに対する評価を示す評価情報」に相当する。
　引用発明１の「通信回線を介して読み出」すことは、補正発明１の「ネットワークを介して取得する取得ステップ」に相当する。
　引用発明１において、「演奏評価手段による評価結果を反映して評価結果が比較的低かった部分を指摘する所定の評価反映映像を表示」することは、補正発明１の「歌唱技能についての前記複数の事項それぞれに対する評価を示す評価情報」を「提示」することに相当する。
　引用発明１の「対象となるカラオケ演奏曲における所定のフレーズ毎に、演奏評価手段による評価結果を反映して評価結果が比較的低かった部分を指摘する所定の評価反映映像を表示し、効果的な歌唱技能の向上ができるようにすること」は、補正発明１の「歌唱区間及び事項に対応する練習内容」を「提示」する「練習事項提示ステップ」に相当する。
　引用発明１の「プログラム」は携帯電話機で使用されるものであるから、補正発明１の「携帯端末装置用プログラム」に相当する。
　したがって、補正発明１と引用発明１とは、
　「歌唱されるカラオケ曲の歌唱音声を評価可能な携帯端末装置に含まれるコンピュータに、
  ネットワークを介して取得する取得ステップと、
　カラオケ店舗に設置されたカラオケ装置を利用して歌唱された前記カラオケ曲のうち練習用楽曲として指定されたカラオケ曲の、歌唱技能についての複数の事項それぞれに対する評価を示す評価情報を、所定の歌唱区間ごとに提示し、歌唱区間及び事項に対応する練習内容を提示する練習事項提示ステップと、
　を実行させる携帯端末用プログラム」
である点で共通し、以下の点で相違している。
［相違点１］
　補正発明１では、携帯端末装置による評価が制限されている歌唱技能があるのに対し、引用発明１では、カラオケ装置と携帯端末装置とが同様に歌唱技能の評価を行う点。
［相違点２］
　補正発明１では、歌唱技能について複数の事項で分析された結果を示す分析情報を取得し、取得された分析情報と、歌唱音声を評価するための基準を示す基準情報と、に基づいて、歌唱技能についての複数の事項それぞれに対する評価を示す評価情報を提示するのに対し、引用発明１では、歌唱技能についての複数の事項それぞれに対する評価を示す評価情報を取得し、取得された評価情報を提示し、また、歌唱技能について複数の事項で分析された結果を示す分析情報については記載がなく、歌唱音声を評価するための基準を示す基準情報は、カラオケ装置が備えている点。
［相違点３］
　補正発明１では、提示した評価情報のうちの何れかの選択された歌唱区間及び事項に対応する複数種類の練習内容を提示するのに対し、引用発明１では、歌唱区間および事項を選択して練習内容を提示すること、および歌唱区間および事項に対応する複数種類の練習内容を提示することについて特定されていない点。
イ　判断
　相違点１、２についての検討に先立って、相違点３について検討する。
　引用発明２は、相違点３に係る補正発明１の「選択された歌唱区間及び事項に対応する複数種類の練習内容を提示する」という発明特定事項を備えていない。
　また、原査定の拒絶の理由で引用されたその他の文献にも、当該発明特定事項は記載も示唆もされていない。
　当該発明特定事項が設計的事項であるという根拠もない。
　したがって、相違点３に係る発明特定事項について、引用発明１に基づいて当業者が容易に想到できたものであるとはいえない。
　よって、相違点１、２について検討するまでもなく、補正発明１は、引用発明に基づいて当業者が容易に想到し得たものとはいえない。
（４）本件補正後の請求項２ないし８について
　本件補正後の請求項２ないし６に係る発明は、補正発明１をさらに限定するものであるから、補正発明１と同様に、引用発明１に基づいて当業者が容易に想到し得たものとはいえない。
　本件補正後の請求項７、８に係る発明は、補正発明１とカテゴリーは異なるものの、実質的には同じであるので、補正発明１同様に、引用発明１に基づいて当業者が容易に想到し得たものとはいえない。
（５）小括
　上記のとおり、本件補正後の請求項１ないし８に係る発明は、引用発明１に基づいて当業者が容易に想到し得たとはいえないから、本件補正は、特許法第１７条の２第６項において準用する同法第１２６条第７項の規定に適合する。
３　むすび
　本件補正は、特許法第１７条の２第３項ないし第６項の規定に適合する。
第３　本願発明
　本件補正は、上記のとおり、特許法第１７条の２第３項ないし第６項の規定に適合するから、本願の請求項１ないし８に係る発明は、本件補正により補正された特許請求の範囲の請求項１ないし８に記載された事項により特定されるとおりのものと認められ、「１　本件補正の内容」の「（２）本件補正後の特許請求の範囲」に記載したとおりのものである。
　そして、本願については、原査定の拒絶の理由を検討しても、その理由によって拒絶すべきものとすることはできない。
　また、他に本願を拒絶すべき理由を発見しない。
　よって、結論のとおり審決する。